(57)【特許請求の範囲】
【請求項１】
電子黒板（１０）であって、
ホワイトボード部（１１）と、
該ホワイトボード部に書かれた文字等を読み取り、該読み取った文字等を示す文字等画像データ（ＤIM）を生成するためのイメージスキャナ（５０）と、
前記ホワイトボード部を取り囲む黒板枠の左枠および右枠の表面に該ホワイトボード部の上端部から下端部まで互いに対向するように形成された、かつ、横罫線用線部材（２０）を取り付けるための第１乃至第Ｍの左側および右側横線部材取付部（１２1〜１２15，１３1〜１３15）と、
前記黒板枠の上枠および下枠の表面に前記ホワイトボード部の左端部から右端部まで互いに対向するように形成された、縦罫線用線部材（３０）を取り付けるための第１乃至第Ｎの上側および下側縦線部材取付部（１４1〜１４26，１５1〜１５26）と、
前記第１乃至第Ｍの左側および右側横線部材取付部のうち前記横罫線用線部材が取り付けられた左側および右側横線部材取付部を検出するための横罫線用線部材取付個所検出手段と、
前記第１乃至第Ｎの上側および下側縦線部材取付部のうち前記縦罫線用線部材が取り付けられた上側および下側縦線部材取付部を検出するための縦罫線用線部材取付個所検出手段と、
前記横罫線用線部材取付個所検出手段で検出された前記横罫線用線部材が取り付けられた左側および右側横線部材取付部と前記縦罫線用線部材取付個所検出手段で検出された前記縦罫線用線部材が取り付けられた上側および下側縦線部材取付部とに基づいて罫線・枠画像データ（ＤTA）を生成し、該生成した罫線・枠画像データと前記イメージスキャナで生成された前記文字等画像データとに基づいて印刷画像データ（ＤPR）を生成するための制御装置（４０）と、
を具備することを特徴とする、電子黒板。
【請求項２】
前記イメージスキャナが、動作を開始すると、オン信号（ＳON）を前記制御装置に出力するとともに、前記文字等画像データを前記制御装置に出力することを特徴とする、請求項１記載の電子黒板。
【請求項３】
前記横罫線用線部材が、
横線材（２１）と、
該横線材の左端が固定された、かつ、前記第１乃至第Ｍの左側横線部材取付部に取付可能な非導電性の左側横取付部（２２）と、
前記横線材の右端が固定されるとともに外周面に導電膜が形成された、かつ、前記第１乃至第Ｍの右側横線部材取付部に取付可能な右側横取付部（２３）とを備え、
前記縦罫線用線部材が、
縦線材（３１）と、
該縦線材の上端が固定された非導電性の上側縦取付部（３２）と、
前記縦線材の下端が固定されるとともに外周面に導電膜が形成された下側縦取付部（３３）とを備え、
前記第１乃至第Ｍの右側横線部材取付部の内周面の左右端部に、第１乃至第Ｍの左および右横導電膜（１３1L〜１３15L，１３1R〜１３15R）が形成されており、
前記横罫線用線部材の前記右側横取付部を前記第１乃至第Ｍの右側横線部材取付部に取り付けると、前記第１乃至第Ｍの左横導電膜と前記第１乃至第Ｍの右横導電膜とが該右側横取付部を介して電気的に接続され、
前記第１乃至第Ｎの下側縦線部材取付部の内周面の上下端部に、第１乃至第Ｎの上および下縦導電膜（１５1U〜１５26U，１６1D〜１６26D）が形成されており、
前記縦罫線用線部材の前記下側縦取付部を前記第１乃至第Ｎの下側縦線部材取付部に取り付けると、前記第１乃至第Ｎの上縦導電膜と前記第１乃至第Ｎの下縦導電膜とが該下側縦取付部を介して電気的に接続される、
ことを特徴とする、請求項２記載の電子黒板。
【請求項４】
前記第１の右側横線部材取付部と前記制御装置との間に配線された、かつ、前記第１乃至第Ｍの右側横線部材取付部の前記第１乃至第Ｍの左横導電膜が直列接続された横用送信線（１６）と、
前記第１乃至第Ｍの右側横線部材取付部の前記第１乃至第Ｍの右横導電膜と前記制御装置との間にそれぞれ配線された第１乃至第Ｍの横用受信線（１７1〜１７15）と、
前記第１の下側縦線部材取付部と前記制御装置との間に配線された、かつ、前記第１乃至第Ｎの下側縦線部材取付部の前記第１乃至第Ｎの上縦導電膜が直列接続された縦用送信線（１８）と、
前記第１乃至第Ｎの下側縦線部材取付部の前記第１乃至第Ｎの下縦導電膜と前記制御装置との間にそれぞれ配線された第１乃至第Ｎの縦用受信線（１９1〜１９26）と、
をさらに具備することを特徴とする、請求項３記載の電子黒板。
【請求項５】
前記制御装置が、
前記横用送信線に横信号（ＳS）を出力するための横信号出力部（４１）と、
前記縦用送信線に縦信号（ＳH）を出力するための縦信号出力部（４２）と、
前記第１乃至第Ｍの右側横線部材取付部から前記第１乃至第Ｍの横用受信線を介して前記横信号が戻ってくるかを調べ、該横信号が戻ってきた第１乃至第Ｍの横用受信線を示す横信号検出信号を生成するための横信号検出部（４３）と、
前記第１乃至第Ｎの下側縦線部材取付部から前記第１乃至第Ｎの縦用受信線を介して前記縦信号が戻ってくるかを調べ、該縦信号が戻ってきた第１乃至第Ｎの縦用受信線を示す縦信号検出信号を生成するための縦信号検出部（４４）と、
前記横信号検出部から入力される前記横信号検出信号、前記縦信号検出部から入力される前記縦信号検出信号および前記イメージスキャナから入力される前記文字等画像データに基づいて罫線・枠画像データ（ＤTA）を生成するための罫線・枠生成部（４５）と、
該罫線・枠生成部から入力される前記罫線・枠画像データおよび前記イメージスキャナから入力される前記文字等画像データに基づいて前記印刷画像データを生成するための印刷画像生成部（４６）と、
前記横信号出力部、前記縦信号出力部、前記横信号検出部、前記縦信号検出部、前記罫線・枠生成部および前記印刷画像生成部の制御を行うための制御部（４７）と、
を備えることを特徴とする、請求項４記載の電子黒板。
【請求項６】
前記制御部が、前記イメージスキャナから前記オン信号が入力されると、前記横信号および前記縦信号を前記横用送信線および前記縦用送信線にそれぞれ出力するように前記横信号出力部および前記縦信号出力部に指示するとともに、前記横信号および前記縦信号をそれぞれ検出するように前記横信号検出部および前記縦信号検出部に指示し、
「前記縦信号が戻ってこなかった」旨を示す前記縦信号検出信号が前記縦信号検出部から入力されると、前記制御部が、前記罫線・枠生成部に罫線・枠画像データを生成するように指示することなく、前記印刷画像生成部に印刷画像データを生成するように指示し、
前記印刷画像生成部が、前記制御部の指示に応じて、前記イメージスキャナから入力される前記文字等画像データのみを示す前記印刷画像データを生成し、
一方、「前記縦信号が前記第１乃至第Ｎの下側縦線部材取付部のうち２つから戻ってきた」旨を示す前記縦信号検出信号が前記縦信号検出部から入力されると、前記制御部が、前記罫線・枠生成部に罫線・枠画像データを生成するように指示するとともに、前記印刷画像生成部に印刷画像データを生成するように指示し、
前記罫線・枠生成部が、前記制御部からの指示に応じて、前記横信号検出部から入力される前記横信号検出信号および前記縦信号検出部から入力される前記縦信号検出信号に基づいて前記罫線・枠画像データを生成し、
前記印刷画像生成部が、前記制御部の指示に応じて、前記罫線・枠生成部から入力される前記罫線・枠画像データと前記イメージスキャナから入力される前記文字等画像データとの合成画像データを示す前記印刷画像データを生成する、
ことを特徴とする、請求項５記載の電子黒板。
【請求項７】
前記制御装置から入力される前記印刷画像データに基づいて文字等、罫線および枠をプリント用紙（１）に印字するためのプリンタ（６０）をさらに具備し、
「前記横信号が戻ってこなかった」旨を示す前記横信号検出信号が前記横信号検出部から入力されると、前記制御部が、前記罫線・枠生成部に罫線・枠画像データを生成するように指示することなく、前記印刷画像生成部に印刷画像データを生成するように指示し、
前記印刷画像生成部が、前記制御部の指示に応じて、前記イメージスキャナから入力される前記文字等画像データのみを示す前記印刷画像データを生成し、
一方、「前記横信号が前記第１乃至第Ｍの右側横線部材取付部のうち２つから戻ってきた」旨を示す前記横信号検出信号が前記横信号検出部から入力されると、前記制御部が、前記罫線・枠生成部に罫線・枠画像データを生成するように指示するとともに、前記印刷画像生成部に印刷画像データを生成するように指示し、
前記罫線・枠生成部が、前記制御部からの指示に応じて、前記横信号検出部から入力される前記横信号検出信号および前記縦信号検出部から入力される前記縦信号検出信号に基づいて前記罫線・枠画像データを生成し、
前記印刷画像生成部が、前記罫線・枠生成部から入力される前記罫線・枠画像データと前記イメージスキャナから入力される前記文字等画像データとの合成画像データを示す前記印刷画像データを生成し、該生成した印刷画像データを前記プリンタに出力する、
ことを特徴とする、請求項６記載の電子黒板。
【請求項８】
「前記横信号が前記第１乃至第Ｍの右側横線部材取付部のうち複数のものから戻ってきた」旨を示す前記横信号検出信号が前記横信号検出部から入力されるとともに、「前記縦信号が前記第１乃至第Ｎの下側縦線部材取付部のうち複数のものから戻ってきた」旨を示す前記縦信号検出信号が前記縦信号検出部から入力されると、前記制御部が、前記罫線・枠生成部に罫線・枠画像データを生成するように指示するとともに、前記印刷画像生成部に印刷画像データを生成するように指示し、
前記罫線・枠生成部が、前記制御部からの指示に応じて、前記イメージスキャナから入力される前記文字等画像データに表識別マーク（Ｍ）が含まれていないかを調べ、該表識別マークが含まれていると、前記横信号検出部から入力される前記横信号検出信号および前記縦信号検出部から入力される前記縦信号検出信号に基づいて表の外枠および内枠を示す前記罫線・枠画像データを生成し、該生成した罫線・枠画像データと前記表識別マークを印字しないように指示する表識別マーク非印字指示信号（ＳA）を前記印刷画像生成部に出力し、
前記印刷画像生成部が、前記制御部からの指示および前記罫線・枠生成部から入力される前記表識別マーク非印字指示信号に応じて、前記罫線・枠生成部から入力される前記罫線・枠画像データと前記イメージスキャナから入力される前記文字等画像データとの合成画像データから前記表識別マークを除いた前記印刷画像データを生成する、
ことを特徴とする、請求項６または７記載の電子黒板。
【発明の詳細な説明】
【技術分野】
【０００１】
本発明は、文字を整列させて書いたり罫線や表を印字したりするのに好適な電子黒板に関する。
【背景技術】
【０００２】
従来、電子黒板（ホワイトボード）に文字を整列させて書く必要があるときは、ホワイトボード部（描画面）に定規を当ててマジックペンで罫線を引いたり、黒色等の有色の粘着テープをホワイトボード部に貼付させたりして、罫線や粘着テープに沿って文字を書いたりしている。
【０００３】
しかし、定規を当ててマジックペンで罫線を引いた場合には、罫線に沿って書いた文字を消去するときに罫線も一緒に消えてしまうという問題があった。
また、粘着テープを貼付する場合には、粘着テープを真っ直ぐに貼付することが困難であり時間や手間がかかるという問題や、罫線をイメージスキャナで文字と共に読み取って印字することができないという問題があった。
【０００４】
なお、電子黒板に罫線を引く手法として、以下に示すものがある。
（１）下記の特許文献１には、電子黒板の上部枠体に上下方向に伸長するレール部材を左右方向に移動自在に取り付け、レール部材にマジックペン（マーカーペン）を保持する保持部材を上下方向に移動自在に取り付けた電子黒板用罫線定規が開示されている。
（２）下記の特許文献２には、表示部の周囲に設けたフレームに沿って移動可能に設けた垂直線用定規部材と垂直線用定規部材に対して移動可能に設けた水平線用定規部材とから構成された定規を設けた電子白板装置が開示されている。
（３）下記の特許文献３には、伸縮収納型の着脱式目盛付定規を取り付けるための枠を黒板の周囲に有する目盛定規付黒板が開示されている。
（４）下記の特許文献４には、基板に磁石を設けた上下動するレバー部を定規本体の取手部に具備する磁石付定規が開示されている。
【０００５】
また、電子黒板に使用するものではないが、葉書のような罫線のない紙等に整然と見栄えよく文字を整列させて書くことができるようにする手法として、以下に示すものがある。
（１）下記の特許文献５には、寸法記入のガイド枠の内側に定寸法間隔で横に多数線部材を具備した文字直列ガイドが開示されている。
（２）下記の特許文献６には、方形状枠体の上体部および下体部に張り渡した複数の糸の下に紙を差し込んで複数の糸を罫線の代わりとして文字を書くようにした罫線付き定規が開示されている。
【先行技術文献】
【特許文献】
【０００６】
【特許文献１】特開昭６４−０４２２９８号公報
【特許文献２】実開昭６３−０２５５８９号公報
【特許文献３】実開昭６０−１５４１８３号公報
【特許文献４】実開平０７−００２０８７号公報
【特許文献５】特開２００１−１５０８７６号公報
【特許文献６】実開平０６−０６４９８４号公報
【発明の概要】
【発明が解決しようとする課題】
【０００７】
しかしながら、上記の特許文献１〜４に開示された手法では、罫線を真っ直ぐ引けることはできるが、マジックペンを使用して罫線を引くため、罫線に沿って書いた文字を消す場合に罫線の一部も消えてしまうという問題を解決できないという問題がある。
【０００８】
また、上記の特許文献５，６に開示された手法では、葉書のような罫線のない紙等に整然と見栄えよく文字を整列させて書けるが、罫線を印字できないという問題がある。
【０００９】
本発明の目的は、文字を消去するときに罫線も一緒に消えてしまうことがないとともに罫線や枠も印字することができる電子黒板を提供することにある。
【課題を解決するための手段】
【００１０】
本発明の電子黒板は、電子黒板（１０）であって、ホワイトボード部（１１）と、該ホワイトボード部に書かれた文字等を読み取り、該読み取った文字等を示す文字等画像データ（ＤIM）を生成するためのイメージスキャナ（５０）と、前記ホワイトボード部を取り囲む黒板枠の左枠および右枠の表面に該ホワイトボード部の上端部から下端部まで互いに対向するように形成された、かつ、横罫線用線部材（２０）を取り付けるための第１乃至第Ｍの左側および右側横線部材取付部（１２1〜１２15，１３1〜１３15）と、前記黒板枠の上枠および下枠の表面に前記ホワイトボード部の左端部から右端部まで互いに対向するように形成された、縦罫線用線部材（３０）を取り付けるための第１乃至第Ｎの上側および下側縦線部材取付部（１４1〜１４26，１５1〜１５26）と、前記第１乃至第Ｍの左側および右側横線部材取付部のうち前記横罫線用線部材が取り付けられた左側および右側横線部材取付部を検出するための横罫線用線部材取付個所検出手段と、前記第１乃至第Ｎの上側および下側縦線部材取付部のうち前記縦罫線用線部材が取り付けられた上側および下側縦線部材取付部を検出するための縦罫線用線部材取付個所検出手段と、前記横罫線用線部材取付個所検出手段で検出された前記横罫線用線部材が取り付けられた左側および右側横線部材取付部と前記縦罫線用線部材取付個所検出手段で検出された前記縦罫線用線部材が取り付けられた上側および下側縦線部材取付部とに基づいて罫線・枠画像データ（ＤTA）を生成し、該生成した罫線・枠画像データと前記イメージスキャナで生成された前記文字等画像データとに基づいて印刷画像データ（ＤPR）を生成するための制御装置（４０）とを具備することを特徴とする。
ここで、前記イメージスキャナが、動作を開始すると、オン信号（ＳON）を前記制御装置に出力するとともに、前記文字等画像データを前記制御装置に出力してもよい。
前記横罫線用線部材が、横線材（２１）と、該横線材の左端が固定された、かつ、前記第１乃至第Ｍの左側横線部材取付部に取付可能な非導電性の左側横取付部（２２）と、前記横線材の右端が固定されるとともに外周面に導電膜が形成された、かつ、前記第１乃至第Ｍの右側横線部材取付部に取付可能な右側横取付部（２３）とを備え、前記縦罫線用線部材が、縦線材（３１）と、該縦線材の上端が固定された非導電性の上側縦取付部（３２）と、前記縦線材の下端が固定されるとともに外周面に導電膜が形成された下側縦取付部（３３）とを備え、前記第１乃至第Ｍの右側横線部材取付部の内周面の左右端部に、第１乃至第Ｍの左および右横導電膜（１３1L〜１３15L，１３1R〜１３15R）が形成されており、前記横罫線用線部材の前記右側横取付部を前記第１乃至第Ｍの右側横線部材取付部に取り付けると、前記第１乃至第Ｍの左横導電膜と前記第１乃至第Ｍの右横導電膜とが該右側横取付部を介して電気的に接続され、前記第１乃至第Ｎの下側縦線部材取付部の内周面の上下端部に、第１乃至第Ｎの上および下縦導電膜（１５1U〜１５26U，１６1D〜１６26D）が形成されており、前記縦罫線用線部材の前記下側縦取付部を前記第１乃至第Ｎの下側縦線部材取付部に取り付けると、前記第１乃至第Ｎの上縦導電膜と前記第１乃至第Ｎの下縦導電膜とが該下側縦取付部を介して電気的に接続されてもよい。
前記第１の右側横線部材取付部と前記制御装置との間に配線された、かつ、前記第１乃至第Ｍの右側横線部材取付部の前記第１乃至第Ｍの左横導電膜が直列接続された横用送信線（１６）と、前記第１乃至第Ｍの右側横線部材取付部の前記第１乃至第Ｍの右横導電膜と前記制御装置との間にそれぞれ配線された第１乃至第Ｍの横用受信線（１７1〜１７15）と、前記第１の下側縦線部材取付部と前記制御装置との間に配線された、かつ、前記第１乃至第Ｎの下側縦線部材取付部の前記第１乃至第Ｎの上縦導電膜が直列接続された縦用送信線（１８）と、前記第１乃至第Ｎの下側縦線部材取付部の前記第１乃至第Ｎの下縦導電膜と前記制御装置との間にそれぞれ配線された第１乃至第Ｎの縦用受信線（１９1〜１９26）とをさらに具備してもよい。
前記制御装置が、前記横用送信線に横信号（ＳS）を出力するための横信号出力部（４１）と、前記縦用送信線に縦信号（ＳH）を出力するための縦信号出力部（４２）と、前記第１乃至第Ｍの右側横線部材取付部から前記第１乃至第Ｍの横用受信線を介して前記横信号が戻ってくるかを調べ、該横信号が戻ってきた第１乃至第Ｍの横用受信線を示す横信号検出信号を生成するための横信号検出部（４３）と、前記第１乃至第Ｎの下側縦線部材取付部から前記第１乃至第Ｎの縦用受信線を介して前記縦信号が戻ってくるかを調べ、該縦信号が戻ってきた第１乃至第Ｎの縦用受信線を示す縦信号検出信号を生成するための縦信号検出部（４４）と、前記横信号検出部から入力される前記横信号検出信号、前記縦信号検出部から入力される前記縦信号検出信号および前記イメージスキャナから入力される前記文字等画像データに基づいて罫線・枠画像データ（ＤTA）を生成するための罫線・枠生成部（４５）と、該罫線・枠生成部から入力される前記罫線・枠画像データおよび前記イメージスキャナから入力される前記文字等画像データに基づいて前記印刷画像データを生成するための印刷画像生成部（４６）と、前記横信号出力部、前記縦信号出力部、前記横信号検出部、前記縦信号検出部、前記罫線・枠生成部および前記印刷画像生成部の制御を行うための制御部（４７）とを備えてもよい。
前記制御部が、前記イメージスキャナから前記オン信号が入力されると、前記横信号および前記縦信号を前記横用送信線および前記縦用送信線にそれぞれ出力するように前記横信号出力部および前記縦信号出力部に指示するとともに、前記横信号および前記縦信号をそれぞれ検出するように前記横信号検出部および前記縦信号検出部に指示し、「前記縦信号が戻ってこなかった」旨を示す前記縦信号検出信号が前記縦信号検出部から入力されると、前記制御部が、前記罫線・枠生成部に罫線・枠画像データを生成するように指示することなく、前記印刷画像生成部に印刷画像データを生成するように指示し、前記印刷画像生成部が、前記制御部の指示に応じて、前記イメージスキャナから入力される前記文字等画像データのみを示す前記印刷画像データを生成し、一方、「前記縦信号が前記第１乃至第Ｎの下側縦線部材取付部のうち２つから戻ってきた」旨を示す前記縦信号検出信号が前記縦信号検出部から入力されると、前記制御部が、前記罫線・枠生成部に罫線・枠画像データを生成するように指示するとともに、前記印刷画像生成部に印刷画像データを生成するように指示し、前記罫線・枠生成部が、前記制御部からの指示に応じて、前記横信号検出部から入力される前記横信号検出信号および前記縦信号検出部から入力される前記縦信号検出信号に基づいて前記罫線・枠画像データを生成し、前記印刷画像生成部が、前記制御部の指示に応じて、前記罫線・枠生成部から入力される前記罫線・枠画像データと前記イメージスキャナから入力される前記文字等画像データとの合成画像データを示す前記印刷画像データを生成してもよい。
前記制御装置から入力される前記印刷画像データに基づいて文字等、罫線および枠をプリント用紙（１）に印字するためのプリンタ（６０）をさらに具備し、「前記横信号が戻ってこなかった」旨を示す前記横信号検出信号が前記横信号検出部から入力されると、前記制御部が、前記罫線・枠生成部に罫線・枠画像データを生成するように指示することなく、前記印刷画像生成部に印刷画像データを生成するように指示し、前記印刷画像生成部が、前記制御部の指示に応じて、前記イメージスキャナから入力される前記文字等画像データのみを示す前記印刷画像データを生成し、一方、「前記横信号が前記第１乃至第Ｍの右側横線部材取付部のうち２つから戻ってきた」旨を示す前記横信号検出信号が前記横信号検出部から入力されると、前記制御部が、前記罫線・枠生成部に罫線・枠画像データを生成するように指示するとともに、前記印刷画像生成部に印刷画像データを生成するように指示し、前記罫線・枠生成部が、前記制御部からの指示に応じて、前記横信号検出部から入力される前記横信号検出信号および前記縦信号検出部から入力される前記縦信号検出信号に基づいて前記罫線・枠画像データを生成し、前記印刷画像生成部が、前記罫線・枠生成部から入力される前記罫線・枠画像データと前記イメージスキャナから入力される前記文字等画像データとの合成画像データを示す前記印刷画像データを生成し、該生成した印刷画像データを前記プリンタに出力してもよい。
「前記横信号が前記第１乃至第Ｍの右側横線部材取付部のうち複数のものから戻ってきた」旨を示す前記横信号検出信号が前記横信号検出部から入力されるとともに、「前記縦信号が前記第１乃至第Ｎの下側縦線部材取付部のうち複数のものから戻ってきた」旨を示す前記縦信号検出信号が前記縦信号検出部から入力されると、前記制御部が、前記罫線・枠生成部に罫線・枠画像データを生成するように指示するとともに、前記印刷画像生成部に印刷画像データを生成するように指示し、前記罫線・枠生成部が、前記制御部からの指示に応じて、前記イメージスキャナから入力される前記文字等画像データに表識別マーク（Ｍ）が含まれていないかを調べ、該表識別マークが含まれていると、前記横信号検出部から入力される前記横信号検出信号および前記縦信号検出部から入力される前記縦信号検出信号に基づいて表の外枠および内枠を示す前記罫線・枠画像データを生成し、該生成した罫線・枠画像データと前記表識別マークを印字しないように指示する表識別マーク非印字指示信号（ＳA）を前記印刷画像生成部に出力し、前記印刷画像生成部が、前記制御部からの指示および前記罫線・枠生成部から入力される前記表識別マーク非印字指示信号に応じて、前記罫線・枠生成部から入力される前記罫線・枠画像データと前記イメージスキャナから入力される前記文字等画像データとの合成画像データから前記表識別マークを除いた前記印刷画像データを生成してもよい。
【発明の効果】
【００１１】
本発明の電子黒板は、以下に示す効果を奏する。
（１）黒板枠に取り付けた横罫線用線部材または縦罫線用線部材に沿って文字を書けるため、書いた文字を消しても罫線が消えないようにすることができる。
（２）横罫線用線部材および縦罫線用線部材の黒板枠への取付個所を示す横信号検出信号および縦信号検出信号を制御装置に出力することにより、横信号検出信号および縦信号検出信号に基づいて生成した罫線・枠画像データと文字等画像データとの合成画像データを生成できるため、罫線や枠も印字することができる。
【図面の簡単な説明】
【００１２】
【図１】本発明の一実施例による電子黒板１０の構成について説明するための図である。
【図２】図１に示した制御装置４０の構成を示すブロック図である。
【図３】図２に示した制御装置４０の動作について説明するための図である。
【図４】図２に示した制御装置４０の動作について説明するための図である。
【図５】図２に示した制御装置４０の動作について説明するための図である。
【発明を実施するための形態】
【００１３】
上記の目的を、横罫線用線部材および縦罫線用線部材を黒板枠に取り付けるとともにその取付個所を示す横信号検出信号および縦信号検出信号を制御装置に出力することにより実現した。
【実施例１】
【００１４】
以下、本発明の電子黒板の実施例について図面を参照して説明する。
本発明の一実施例による電子黒板１０は、図１（ａ）に示すように、ホワイトボード部１１（描画面）と、第１乃至第１５の左側横線部材取付部１２1〜１２15と、第１乃至第１５の右側横線部材取付部１３1〜１３15と、第１乃至第２６の上側縦線部材取付部１４1〜１４26と、第１乃至第２６の下側縦線部材取付部１５1〜１５26と、１本の横用送信線１６と、第１乃至第１５の横用受信線１７1〜１７15と、１本の縦用送信線１８と、第１乃至第２６の縦用受信線１９1〜１９26と、複数本の横罫線用線部材２０（図１（ｂ）参照）と、複数本の縦罫線用線部材３０（図１（ｃ）参照）と、制御装置４０と、イメージスキャナ５０と、プリンタ６０とを具備する。
【００１５】
ここで、横罫線用線部材２０は、図１（ｂ）に示すように、硬質プラスチック製の横線材２１と、横線材２１の左端が固定された円柱状の左側横取付部２２（非導電性）と、横線材２１の右端が固定されるとともに全外周面に導電膜が形成された円柱状の右側横取付部２３とを備える。
【００１６】
縦罫線用線部材３０は、図１（ｃ）に示すように、硬質プラスチック製の縦線材３１と、縦線材３１の上端が固定された円柱状の上側縦取付部３２（非導電性）と、縦線材３１の下端が固定されるとともに全外周面に導電膜が形成された円柱状の下側縦取付部３３とを備える。
【００１７】
ホワイトボード部１１は、フィルム型のものであり、巻き取られることによりイメージスキャナ５０でホワイトボード部１１に書かれた文字等を読み取ることができるようにされている。
【００１８】
第１乃至第１５の左側横線部材取付部１２1〜１２15は、ホワイトボード部１１を取り囲む黒板枠の左枠の表面に、ホワイトボード部１１の上端部から下端部まで等間隔に形成されている。
第１乃至第１５の左側横線部材取付部１２1〜１２15は、横罫線用線部材２０の左側横取付部２２を嵌入して取り付けるために、半円筒状の形状を有する。
【００１９】
第１乃至第１５の右側横線部材取付部１３1〜１３15は、黒板枠の右枠の表面に、第１乃至第１５の左側横線部材取付部１２1〜１２15とそれぞれ互いに対向するように形成されている。
第１乃至第１５の右側横線部材取付部１３1〜１３15は、横罫線用線部材２０の右側横取付部２３を嵌入して取り付けるために、半円筒状の形状を有する。
また、図１（ｄ）に示すように、第１の右側横線部材取付部１３1の内周面の左右端部には第１の左および右横導電膜１３1L，１３1Rがそれぞれ形成されており、横罫線用線部材２０の右側横取付部２３を第１の右側横線部材取付部１３1に嵌入して取り付けると、第１の左横導電膜１３1Lと第１の右横導電膜１３1Rとが右側横取付部２３を介して電気的に接続されるようになっている。
同様に、第２乃至第１５の右側横線部材取付部１３2〜１３15の内周面の左右端部には第２乃至第１５の左および右横導電膜１３2L〜１３15L，１３2R〜１３15Rがそれぞれ形成されており、横罫線用線部材２０の右側横取付部２３を第２乃至第１５の右側横線部材取付部１３2〜１３15に１本ずつ嵌入して取り付けると、第２乃至第１５の左横導電膜１３2L〜１３15Lと第２乃至第１５の右横導電膜１３2R〜１３15Rとが各横罫線用線部材２０の右側横取付部２３を介してそれぞれ電気的に接続されるようになっている。
【００２０】
第１乃至第２６の上側縦線部材取付部１４1〜１４26は、黒板枠の上枠の表面に、ホワイトボード部１１の左端部から右端部まで等間隔に形成されている。
第１乃至第２６の上側縦線部材取付部１４1〜１４26は、縦罫線用線部材３０の上側縦取付部３２を嵌入して取り付けるために、半円筒状の形状を有する。
【００２１】
第１乃至第２６の下側縦線部材取付部１５1〜１５26は、黒板枠の下枠の表面に、第１乃至第２６の上側縦線部材取付部１４1〜１４26とそれぞれ互いに対向するように形成されている。
第１乃至第２６の下側縦線部材取付部１５1〜１５26は、縦罫線用線部材３０の下側縦取付部３３を嵌入して取り付けるために、半円筒状の形状を有する。
また、図１（ｅ）に示すように、第１の下側縦線部材取付部１５1の内周面の上下端部には第１の上および下縦導電膜１５1U，１５1Dがそれぞれ形成されており、縦罫線用線部材３０の下側縦取付部３３を第１の下側縦線部材取付部１５1に嵌入して取り付けると、第１の上縦導電膜１５1Uと第１の下縦導電膜１５1Uとが下側縦取付部３３を介して電気的に接続されるようになっている。
同様に、第２乃至第２６の下側縦線部材取付部１５2〜１５26の内周面の上下端部には第２乃至第２６の上および下縦導電膜１５2U〜１５26U，１５2D〜１５26Dがそれぞれ形成されており、縦罫線用線部材３０の下側縦取付部３３を第２乃至第２６の下側縦線部材取付部１５2〜１５26に１本ずつ嵌入して取り付けると、第２乃至第２６の上縦導電膜１５2U〜１５26Uと第２乃至第２６の下縦導電膜１５2D〜１５26Dとが各縦罫線用線部材３０の下側縦取付部３３を介してそれぞれ電気的に接続されるようになっている。
【００２２】
黒板枠の左枠の表面の第１乃至第１５の左側横線部材取付部１２1〜１２15とホワイトボード部１１との間には、横罫線用線部材２０の横線材２１の左端部を嵌入するための溝が形成されており、黒板枠の右枠の表面の第１乃至第１５の右側横線部材取付部１３1〜１３15とホワイトボード部１１との間には、横罫線用線部材２０の横線材２１の右端部を嵌入するための溝が形成されている。
同様に、黒板枠の上枠の表面の第１乃至第２６の上側縦線部材取付部１４1〜１４26とホワイトボード部１１との間には、縦罫線用線部材３０の縦線材３１の上端部を嵌入するための溝が形成されており、黒板枠の下枠の表面の第１乃至第２６の下側縦線部材取付部１５1〜１５26とホワイトボード部１１との間には、縦罫線用線部材３０の縦線材３１の下端部を嵌入するための溝が形成されている。
【００２３】
横用送信線１６は、後述の横用信号ＳS（図２参照）を制御装置４０から第１乃至第１５の右側横線部材取付部１３1〜１３15の第１乃至第１５の左横導電膜１３1L〜１３15Lに出力するためのものである。
そのため、横用送信線１６は制御装置４０と第１の右側横線部材取付部１３1との間に配線されているとともに、横用送信線１６には第１乃至第１５の右側横線部材取付部１３1〜１３15の第１乃至第１５の左横導電膜１３1L〜１３15Lが直列接続されている。
【００２４】
第１乃至第１５の横用受信線１７1〜１７15は、横用信号ＳSを第１乃至第１５の右側横線部材取付部１３1〜１３15の第１乃至第１５の右横導電膜１３1R〜１３15Rから制御装置４０に出力するためのものである。
そのため、第１乃至第１５の横用受信線１７1〜１７15は、制御装置４０と第１乃至第１５の右側横線部材取付部１３1〜１３15の第１乃至第１５の右横導電膜１３1R〜１３15Rとの間にそれぞれ配線されている。
【００２５】
縦用送信線１８は、後述の縦用信号ＳH（図２参照）を制御装置４０から第１乃至第２６の下側縦線部材取付部１５1〜１５26の第１乃至第２６の上縦導電膜１５1U〜１５26Uに出力するためのものである。
そのため、縦用送信線１８は制御装置４０と第１の下側縦線部材取付部１５1との間に配線されているとともに、縦用送信線１８には第１乃至第１５の下側縦線部材取付部１５1〜１５26の第１乃至第２６の上縦導電膜１５1U〜１５26Uが直列接続されている。
【００２６】
第１乃至第２６の縦用受信線１９1〜１９26は、縦用信号ＳHを第１乃至第２６の下側縦線部材取付部１５1〜１５26の第１乃至第２６の下縦導電膜１５1D〜１５26Dから制御装置４０に出力するためのものである。
そのため、第１乃至第２６の縦用受信線１９1〜１９26は、制御装置４０と第１乃至第２６の下側縦線部材取付部１５1〜１５26の第１乃至第２６の下縦導電膜１５1D〜１５26Dとの間にそれぞれ配線されている。
【００２７】
イメージスキャナ５０は、ホワイトボード部１１が巻き取られる際に動作を開始して、オン信号ＳONを制御装置４０に出力するとともに、ホワイトボード部１１に書かれた文字等を読み取って、読み取った文字等を示す文字等画像データＤIMを制御装置４０に出力するためのものであり、黒板枠の右枠内に取り付けられている。
【００２８】
プリンタ６０は、制御装置４０から入力される後述の印刷画像データＤPR（図２参照）に基づいて文字等、罫線および枠をプリント用紙１（図３（ｂ）参照）に印字するためのものであり、電子黒板１０の右下部に取り付けられている。
【００２９】
制御装置４０は、黒板枠の右下隅内に取り付けられており、図２に示すように、横信号出力部４１と、縦信号出力部４２と、横信号検出部４３と、縦信号検出部４４と、罫線・枠生成部４５と、印刷画像生成部４６と、制御部４７とを備える。
【００３０】
ここで、横信号出力部４１は、横信号ＳSを出力するように指示する制御信号ＳCNT（以下、「横信号出力指示制御信号ＳCNTa」と称する。）が制御部４７から入力されると、横用送信線１６に横信号ＳSを出力する。
【００３１】
縦信号出力部４２は、縦信号ＳHを出力するように指示する制御信号ＳCNT（以下、「縦信号出力指示制御信号ＳCNTb」と称する。）が制御部４７から入力されると、縦用送信線１８に縦信号ＳHを出力する。
【００３２】
横信号検出部４３は、横信号ＳSを検出するように指示する制御信号ＳCNT（以下、「横信号検出指示制御信号ＳCNTc」と称する。）が制御部４７から入力されると、第１乃至第１５の右側横線部材取付部１３1〜１３15から第１乃至第１５の横用受信線１７1〜１７15を介して横信号ＳSが戻ってくるかを調べ、横信号ＳSが戻ってきた第１乃至第１５の右側横線部材取付部１３1〜１３15を示す横信号検出信号を生成し、生成した横信号検出信号を罫線・枠生成部４５および制御部４７に出力する。
【００３３】
縦信号検出部４４は、縦信号ＳHを検出するように指示する制御信号ＳCNT（以下、「縦信号検出指示制御信号ＳCNTd」と称する。）が制御部４７から入力されると、第１乃至第２６の下側縦線部材取付部１５1〜１５26から第１乃至第２６の縦用受信線１９1〜１９26を介して縦信号ＳHが戻ってくるかを調べ、縦信号ＳHが戻ってきた第１乃至第２６の下側縦線部材取付部１５1〜１５26を示す縦信号検出信号を生成し、生成した縦信号検出信号を罫線・枠生成部４５および制御部４７に出力する。
【００３４】
罫線・枠生成部４５は、罫線・枠画像データＤTAを生成するように指示する制御信号ＳCNT（以下、「罫線・枠画像データ生成指示制御信号ＳCNTe」と称する。）が制御部４７から入力されると、横信号検出部４３から入力される横信号検出信号、縦信号検出部４４から入力される縦信号検出信号およびイメージスキャナ５０から入力される文字等画像データＤIMに基づいて罫線・枠画像データＤTAおよび表識別マーク非印字指示信号ＳAを生成して、生成した罫線・枠画像データＤTAおよび表識別マーク非印字指示信号ＳAを印刷画像生成部４６に出力する。
【００３５】
印刷画像生成部４６は、印刷画像データＤPRを生成するように指示する制御信号ＳCNT（以下、「印刷画像データ生成指示制御信号ＳCNTf」と称する。）が制御部４７から入力されると、罫線・枠生成部４５から入力される罫線・枠画像データＤTAおよび表識別マーク非印字指示信号ＳAとイメージスキャナ５０から入力される文字等画像データＤIMとに基づいて印刷画像データＤPRを生成し、生成した印刷画像データＤPRをプリンタ６０に出力する。
【００３６】
制御部４７は、横信号出力部４１、縦信号出力部４２、横信号検出部４３、縦信号検出部４４、罫線・枠生成部４５および印刷画像生成部４６の制御を行う。
【００３７】
次に、制御装置４０の動作について、図３（ａ）〜（ｈ）、図４（ａ），（ｂ）および図５（ａ），（ｂ）を参照して説明する。
電子黒板１０のホワイトボード部１１に上から横書きで文字を書いていく場合には、たとえば、図３（ａ）に示すように第２の左側横線部材取付部１２2と第２の右側横線部材取付部１３2との間に横罫線用線部材２０を取り付けて、取り付けた横罫線用線部材２０に沿って文字を左から右に書いていく。
以下、同様にして、第４、第６、第８および第１０の左側横線部材取付部１２4，１２6，１２8，１２10と第４、第６、第８および第１０の右側横線部材取付部１３4，１３6，１３8，１３10との間に横罫線用線部材２０を順次取り付けて、取り付けた横罫線用線部材２０に沿って文字を左から右に書いていく。
これにより、ホワイトボード部１１に整然と見栄えよく文字を整列させて書くことができるとともに、文字を消しても線（横罫線用線部材２０）が消えないようにすることができる。
なお、ホワイトボード部１１の下部には、必要に応じて図形等を書いてもよい。
【００３８】
続いて、ホワイトボード部１１に書いた文字や図形等を印刷する場合には、ホワイトボード部１１を巻き取らせて、ホワイトボード部１１に書かれた文字や図形等をイメージスキャナ５０に読み取らせる。
これにより、オン信号ＳONおよび文字等画像データＤIMがイメージスキャナ５０から制御装置４０に出力される。
【００３９】
制御部４７は、オン信号ＳONが入力されると、横信号出力指示制御信号ＳCNTa、縦信号出力指示制御信号ＳCNTb、横信号検出指示制御信号ＳCNTcおよび縦信号検出指示制御信号ＳCNTdを横信号出力部４１、縦信号出力部４２、横信号検出部４３および縦信号検出部４４にそれぞれ出力する。
これにより、横信号ＳSおよび縦信号ＳHが、横信号出力部４１および縦信号出力部４２から横用送信線１６および縦用送信線１８にそれぞれ出力される。
【００４０】
また、この場合には横信号ＳSが第２、第４、第６、第８および第１０の右側横線部材取付部１３2，１３4，１３6，１３8，１３10から制御装置４０に戻ってくるのみであるため、横信号検出部４３は「横信号ＳSが第２、第４、第６、第８および第１０の右側横線部材取付部１３2，１３4，１３6，１３8，１３10から戻ってきた旨」を示す横信号検出信号を罫線・枠生成部４５および制御部４７に出力し、縦信号検出部４４は「縦信号ＳHが戻ってこなかった」旨を示す縦信号検出信号を罫線・枠生成部４５および制御部４７に出力する。
【００４１】
制御部４７は、「縦信号ＳHが戻ってこなかった」旨を示す縦信号検出信号が入力されると、罫線・枠画像データ生成指示制御信号ＳCNTeを罫線・枠生成部４５に出力することなく、印刷画像データ生成指示制御信号ＳCNTfを印刷画像生成部４６に出力する。
【００４２】
その結果、罫線・枠生成部４５は、罫線・枠画像データＤTAを生成しない。
【００４３】
また、印刷画像生成部４６は、罫線・枠画像データＤTAが罫線・枠生成部４５から入力されてこないため、イメージスキャナ５０から入力される文字等画像データＤIMのみを示す印刷画像データＤPRを生成し、生成した印刷画像データＤPRをプリンタ６０に出力する。
これにより、図３（ｂ）に示すように、ホワイトボード部１１に書かれた文字や図形等のみが印字されたプリント用紙１がプリンタ６０から出力される。
【００４４】
なお、文字の下側に横罫線も印字したい場合には、ホワイトボード部１１に文字や図形等を書いたのち、図３（ｃ）に示すように印字する横罫線の左右端を示すために第２の上側縦線部材取付部１４2と第２の下側縦線部材取付部１５2との間および第２５の上側縦線部材取付部１４25と第２５の下側縦線部材取付部１５25との間に縦罫線用線部材３０を取り付ける。
【００４５】
これにより、縦信号ＳHが第２および第２５の下側縦線部材取付部１５2，１５25から制御装置４０に戻ってくるため、縦信号検出部４４は「縦信号ＳHが第２および第２５の下側縦線部材取付部１５2，１５25から戻ってきた」旨を示す縦信号検出信号を罫線・枠生成部４５および制御部４７に出力する。
【００４６】
制御部４７は、この縦信号検出信号が入力されると、罫線・枠画像データ生成指示制御信号ＳCNTeおよび印刷画像データ生成指示制御信号ＳCNTfを罫線・枠生成部４５および印刷画像生成部４６にそれぞれ出力する。
【００４７】
その結果、罫線・枠生成部４５は、横信号検出部４３および縦信号検出部４４からそれぞれ入力される横信号検出信号および縦信号検出信号に基づいて、ホワイトボード部１１の第２の下側縦線部材取付部１５2と第２５の下側縦線部材取付部１５25との範囲内で、第２、第４、第６、第８および第１０の左側横線部材取付部１２2，１２4，１２6，１２8，１２10と第２、第４、第６、第８および第１０の右側横線部材取付部１３2，１３4，１３6，１３8，１３10とを結ぶ横罫線を示す罫線・枠画像データＤTAを生成して、生成した罫線・枠画像データＤTAを印刷画像生成部４６に出力する。
【００４８】
また、印刷画像生成部４６は、罫線・枠生成部４５から入力される罫線・枠画像データＤTAとイメージスキャナ５０から入力される文字等画像データＤIMとの合成画像データを示す印刷画像データＤPRを生成し、生成した印刷画像データＤPRをプリンタ６０に出力する。
これにより、図３（ｄ）に示すように、ホワイトボード部１１に書かれた文字の下側に横罫線も印字されたプリント用紙１がプリンタ６０から出力される。
【００４９】
電子黒板１０のホワイトボード部１１に右から縦書きで文字を書いていく場合には、たとえば、図３（ｅ）に示すように第２５の上側縦線部材取付部１４25と第２５の下側縦線部材取付部１５25との間に縦罫線用線部材３０を取り付けたのち、縦罫線用線部材３０に沿って文字を上から下に書いていく。
以下、同様にして、第２３、第２１、第１９、第１７、第１５および第１３の上側縦線部材取付部１４23，１４21，１４19，１４17，１４15，１４13と第２３、第２１、第１９、第１７、第１５および第１３の下側縦線部材取付部１５23，１５21，１５19，１５17，１５15，１５13との間に縦罫線用線部材３０を順次取り付けたのち、縦罫線用線部材３０に沿って文字を上から下に書いていく。
これにより、ホワイトボード部１１に整然と見栄えよく文字を整列させて書くことができるとともに、文字を消しても線（縦罫線用線部材３０）が消えないようにすることができる。
なお、ホワイトボード部１１の左部分には、必要に応じて図形等を書いてもよい。
【００５０】
続いて、ホワイトボード部１１に書いた文字や図形等を印刷する場合には、ホワイトボード部１１を巻き取らせて、イメージスキャナ５０でホワイトボード部１１に書かれた文字や図形等を読み取らせる。
【００５１】
制御部４７は、イメージスキャナ５０からオン信号ＳONが入力されると、横信号出力指示制御信号ＳCNTa、縦信号出力指示制御信号ＳCNTb、横信号検出指示制御信号ＳCNTcおよび縦信号検出指示制御信号ＳCNTdを横信号出力部４１、縦信号出力部４２、横信号検出部４３および縦信号検出部４４にそれぞれ出力する。
【００５２】
この場合には縦信号ＳHが第１３、第１５、第１７、第１９、第２１、第２３および第２５の下側縦線部材取付部１５13，１５15，１５17，１５19，１５21，１５23，１５25から制御装置４０に戻ってくるのみであるため、横信号検出部４３は「横信号ＳSが戻ってこなかった」旨を示す横信号検出信号を罫線・枠生成部４５および制御部４７に出力し、縦信号検出部４４は「縦信号ＳHが第１３、第１５、第１７、第１９、第２１、第２３および第２５の下側縦線部材取付部１５13，１５15，１５17，１５19，１５21，１５23，１５25から戻ってきた旨」を示す縦信号検出信号を罫線・枠生成部４５および制御部４７に出力する。
【００５３】
制御部４７は、「横信号ＳSが戻ってこなかった」旨を示す横信号検出信号が入力されると、罫線・枠画像データ生成指示制御信号ＳCNTeを罫線・枠生成部４５に出力することなく、印刷画像データ生成指示制御信号ＳCNTfを印刷画像生成部４６に出力する。
【００５４】
その結果、罫線・枠生成部４５は、罫線・枠画像データＤTAを生成しない。
【００５５】
また、印刷画像生成部４６は、罫線・枠画像データＤTAが罫線・枠生成部４５から入力されてこないため、イメージスキャナ５０から入力される文字等画像データＤIMのみを示す印刷画像データＤPRを生成し、生成した印刷画像データＤPRをプリンタ６０に出力する。
これにより、図３（ｆ）に示すように、ホワイトボード部１１に書かれた文字や図形等のみが印字されたプリント用紙１がプリンタ６０から出力される。
【００５６】
なお、文字の左側に縦罫線も印字したい場合には、ホワイトボード部１１に文字や図形等を書いたのち、図３（ｇ）に示すように印字する縦罫線の上下端を示すために第１の左側横線部材取付部１２1と第１の右側横線部材取付部１３1との間および第１５の左側横線部材取付部１２15と第１５の右側横線部材取付部１３15との間に横罫線用線部材２０を取り付ける。
【００５７】
これにより、横信号ＳSが第１および第１５の右側横線部材取付部１３1，１３15から制御装置４０に戻ってくるため、横信号検出部４３は「横信号ＳSが第１および第１５の右側横線部材取付部１３1，１３15から戻ってきた」旨を示す横信号検出信号を罫線・枠生成部４５および制御部４７に出力する。
【００５８】
制御部４７は、この横信号検出信号が入力されると、罫線・枠画像データ生成指示制御信号ＳCNTeおよび印刷画像データ生成指示制御信号ＳCNTfを罫線・枠生成部４５および印刷画像生成部４６にそれぞれ出力する。
【００５９】
その結果、罫線・枠生成部４５は、横信号検出部４３および縦信号検出部４４からそれぞれ入力される横信号検出信号および縦信号検出信号とイメージスキャナ５０から入力される文字等画像データＤIMとに基づいて、ホワイトボード部１１の第１の右側横線部材取付部１２1と第１５の右側横線部材取付部１３15との範囲内で、第１３、第１５、第１７、第１９、第２１、第２３および第２５の上側縦線部材取付部１４13，１４15，１４17，１４19，１４21，１４23，１４25と第１３、第１５、第１７、第１９、第２１、第２３および第２５の下側縦線部材取付部１５13，１５15，１５17，１５19，１５21，１５23，１５25とを結ぶ縦罫線を示す罫線・枠画像データＤTAを生成して、生成した罫線・枠画像データＤTAを印刷画像生成部４６に出力する。
【００６０】
また、印刷画像生成部４６は、罫線・枠生成部４５から入力される罫線・枠画像データＤTAとイメージスキャナ５０から入力される文字等画像データＤIMとの合成画像データを示す印刷画像データＤPRを生成し、生成した印刷画像データＤPRをプリンタ６０に出力する。
これにより、図３（ｈ）に示すように、ホワイトボード部１１に書かれた文字の左側に縦罫線も印字されたプリント用紙１がプリンタ６０から出力される。
【００６１】
電子黒板１０のホワイトボード部１１に表を書く場合には、たとえば、図４（ａ）に示すように表の外枠を示すために第２の左側横線部材取付部１２2と第２の右側横線部材取付部１３2との間および第１４の左側横線部材取付部１２14と第１４の右側横線部材取付部１３14との間に横罫線用線部材２０（以下、「上側横罫線用線部材２０U」および「下側横罫線用線部材２０D」と称する。）を取り付けるとともに、第１の上側縦線部材取付部１４1と第１の下側縦線部材取付部１５1との間および第２５の上側縦線部材取付部１４25と第２５の下側縦線部材取付部１５25との間に縦罫線用線部材３０（以下、「左側縦罫線用線部材３０L」および「右側縦罫線用線部材３０R」と称する。）を取り付け、上側横罫線用線部材２０U、右側縦罫線用線部材３０R、下側横罫線用線部材２０Dおよび左側縦罫線用線部材３０Lで囲まれた領域の四隅に表識別マークM（この例では黒丸）を書いたのち、ホワイトボード部１１の上中央部に表のタイトルを示す文字を上側横罫線用線部材２０Uに沿って書いていく。
【００６２】
続いて、表の内枠（横罫線および縦罫線）を示すために図３（ｂ）に示すように第４、第６、第８および第１０の左側横線部材取付部１２4，１２6，１２8，１２10と第４、第６、第８および第１０の右側横線部材取付部１３4，１３6，１３8，１３10との間に横罫線用線部材２０を取り付けるとともに、第５、第９、第１３、第１７および第２１の上側縦線部材取付部１４5，１４9，１４13，１４17，１４21と第５、第９、第１３、第１７および第２１の下側縦線部材取付部１５5，１５9，１５13，１５17，１５21との間に縦罫線用線部材３０を取り付ける。
【００６３】
続いて、図５（ａ）に示すように表の枠内に項目名および内容を書いていく。
これにより、ホワイトボード部１１に整然と見栄えよく文字を整列させた表を書くことができる。
【００６４】
続いて、ホワイトボード部１１に書いた表を印刷する場合には、ホワイトボード部１１を巻き取らせて、ホワイトボード部１１に書かれた表をイメージスキャナ５０に読み取らせる。
これにより、オン信号ＳONおよび文字等画像データＤIMがイメージスキャナ５０から制御装置４０に出力される。
【００６５】
制御部４７は、オン信号ＳONが入力されると、横信号出力指示制御信号ＳCNTa、縦信号出力指示制御信号ＳCNTb、横信号検出指示制御信号ＳCNTcおよび縦信号検出指示制御信号ＳCNTdを横信号出力部４１、縦信号出力部４２、横信号検出部４３および縦信号検出部４４にそれぞれ出力する。
【００６６】
この場合には横信号ＳSが第２、第４、第６、第８、第１０および第１２の右側横線部材取付部１３2，１３4，１３6，１３8，１３10，１３12から制御装置４０に戻ってくるとともに、縦信号ＳHが第１、第５、第９、第１３、第１７、第２１および第２５の下側縦線部材取付部１５1，１５5，１５9，１５13，１５17，１５21，１５25から制御装置４０に戻ってくるため、横信号検出部４３は「横信号ＳSが第２、第４、第６、第８、第１０および第１２の右側横線部材取付部１３2，１３4，１３6，１３8，１３10，１３12から戻ってきた旨」を示す横信号検出信号を罫線・枠生成部４５および制御部４７に出力するとともに、縦信号検出部４４は「縦信号ＳHが第１、第５、第９、第１３、第１７、第２１および第２５の下側縦線部材取付部１５1，１５5，１５9，１５13，１５17，１５21，１５25から制御装置４０に戻ってきた」旨を示す縦信号検出信号を罫線・枠生成部４５および制御部４７に出力する。
【００６７】
制御部４７は、この横信号検出信号および縦信号検出信号が入力されると、罫線・枠生成指示制御信号ＳCNTeおよび印刷画像データ生成指示制御信号ＳCNTfを罫線・枠生成部４５および印刷画像生成部４６にそれぞれ出力する。
【００６８】
その結果、罫線・枠生成部４５は、横信号検出部４３および縦信号検出部４４からそれぞれ入力される横信号検出信号および縦信号検出信号とイメージスキャナ５０から入力される文字等画像データＤIMとに基づいて、上側横罫線用線部材２０U、右側縦罫線用線部材３０R、下側横罫線用線部材２０Dおよび左側縦罫線用線部材３０Lで囲まれた領域の四隅に表識別マークMが書かれていないかを調べる。
表識別マークMが書かれていると、罫線・枠生成部４５は、上側横罫線用線部材２０U、右側縦罫線用線部材３０R、下側横罫線用線部材２０Dおよび左側縦罫線用線部材３０Lで囲まれた領域を線で結んだ表の外枠を示すとともに、この外枠内で第４、第６、第８および第１０の左側横線部材取付部１２4，１２6，１２8，１２10と第４、第６、第８および第１０の右側横線部材取付部１３4，１３6，１３8，１３10とを結ぶ線および第５、第９、第１３、第１７および第２１の上側縦線部材取付部１４5，１４9，１４13，１４17，１４21と第５、第９、第１３、第１７および第２１の下側縦線部材取付部１５5，１５9，１５13，１５17，１５21とを結んだ表の内枠を示す罫線・枠画像データＤTAを生成して、生成した罫線・枠画像データＤTAを印刷画像生成部４６に出力するとともに、４つの表識別マークMを印字しないように指示する表識別マーク非印字指示信号ＳAを印刷画像生成部４６に出力する。
【００６９】
また、印刷画像生成部４６は、表識別マーク非印字指示信号ＳAが罫線・枠生成部４５から入力されてくるため、罫線・枠生成部４５から入力される罫線・枠画像データＤTAとイメージスキャナ５０から入力される文字等画像データＤIMとの合成画像データから４つの表識別マークＭを取り除いた印刷画像データＤPRを生成し、生成した印刷画像データＤPRをプリンタ６０に出力する。
これにより、図５（ｄ）に示すように、ホワイトボード部１１に書かれた表が印字されたプリント用紙１がプリンタ６０から出力される。
【００７０】
以上の説明では、横罫線用線部材２０の右側横取付部２３および縦罫線用線部材３０の下側横取付部３３の全外周面に導電膜が形成したが、導電膜を形成せずに、第１乃至第１５の右側横線部材取付部１３1〜１３15および第１乃至第２６の下側縦線部材取付部１５1〜１５26の裏面にマイクロスイッチを取り付けて右側横取付部２３および下側横取付部３３が取り付けられるとマイクロスイッチがオンするようにしてもよい。
この場合には、横用送信線１６、第１乃至第１５の横用受信線１７1〜１７15、縦用送信線１８および第１乃至第２６の縦用受信線１９1〜１９26は各マイクロスイッチに接続する。
【００７１】
また、上側横罫線用線部材２０U、右側縦罫線用線部材３０R、下側横罫線用線部材２０Dおよび左側縦罫線用線部材３０Lで囲まれた領域の４つの表識別マークMを書いたが、たとえば右下隅を除いた３つの表識別マークMだけ書いてもよいし、たとえば右上隅および左下隅を除いた２つの表識別マークMを書いてもよい。
【符号の説明】
【００７２】
１  プリント用紙
１０  電子黒板
１１  ホワイトボード部
１２1〜１２15  第１乃至第１５の左側横線部材取付部
１３1〜１３15  第１乃至第１５の右側横線部材取付部
１３1L〜１３15L，１３1R〜１３15R  第１乃至第１５の左および右横導電膜
１４1〜１４26  第１乃至第２６の上側縦線部材取付部
１５1〜１５26  第１乃至第２６の下側縦線部材取付部
１５1U〜１５26U，１５1D〜１５26D  第１乃至第２６の上および下縦導電膜
１６  横用送信線
１７1〜１７15  第１乃至第１５の横用受信線
１８  縦用送信線
１９1〜１９26  第１乃至第２６の縦用受信線
２０  横罫線用線部材
２０U  上側横罫線用線部材
２０D  下側横罫線用線部材
２１  横線材
２２  左側横取付部
２３  右側横取付部
３０  縦罫線用線部材
３０R  右側縦罫線用線部材
３０L  左側縦罫線用線部材
３１  縦線材
３２  上側縦取付部
３３  下側縦取付部
４０  制御装置
４１  横信号出力部
４２  縦信号出力部
４３  横信号検出部
４４  縦信号検出部
４５  罫線・枠生成部
４６  印刷画像生成部
４７  制御部
５０  イメージスキャナ
６０  プリンタ
ＤIM  文字等画像データ
ＤPR  印刷画像データ
ＤTA  罫線・枠画像データ
Ｍ  表識別マーク
ＳA  表識別マーク非印字指示信号
ＳCNT  制御信号
ＳCNTa  横信号出力指示制御信号
ＳCNTb  縦信号出力指示制御信号
ＳCNTc  横信号検出指示制御信号
ＳCNTd  縦信号検出指示制御信号
ＳCNTe  罫線・枠画像データ生成指示制御信号
ＳCNTf  印刷画像データ生成指示制御信号
ＳON  オン信号
ＳS，ＳH  横および縦用信号
【図１】
0006519235.tif 000002
【図２】
0006519235.tif 000003
【図３】
0006519235.tif 000004
【図４】
0006519235.tif 000005
【図５】
0006519235.tif 000006